(57)【要約】【課題】歯車列等を用いることなく、フラップの回転軸を吹出し口の風路外に移動させ、上吹出し時および下吹出し時共に、フラップの回動角度を任意に調整して最適位置とすることにより風向制御性を向上できる空気調和機を提供することを目的とする。【解決手段】温調風の吹出し口８に風向を調整するフラップ１７が設けられている空気調和機１において、フラップ１７は、その長さ方向の両端部位にて、幅方向の前端側が、モータにより駆動される回転軸２０に一端が結合されているリンク２１の他端側に第１支軸２２を介して回動自在に支持され、該フラップ１７の幅方向の後端側が、吹出し口８の上下方向に沿って設けられているガイド経路２４に第２支軸２３を介して摺動自在に支持されている。【選択図】図３
2015031452.tif 000002
【特許請求の範囲】
【請求項１】
温調風の吹出し口に、風向を調整するフラップが設けられている空気調和機において、
前記フラップは、その長さ方向の両端部位において、幅方向の前端側が、モータにより駆動される回転軸に一端が結合されているリンクの他端側に第１支軸を介して回動自在に支持され、
該フラップの幅方向の後端側が、前記吹出し口の上下方向に沿って設けられているガイド経路に第２支軸を介して摺動自在に支持されていることを特徴とする空気調和機。
【請求項２】
前記フラップは、広幅の上方フラップと狭幅の下方フラップとの２枚のフラップが所定間隔で互いに平行に結合されて一体化されたフラップとされ、
前記上方フラップの前端側が、前記第１支軸を介して前記リンクの他端側に回動自在に支持されるとともに、前記下方フラップの後端側が、前記第２支軸を介して前記ガイド経路に摺動自在に支持されていることを特徴とする請求項１に記載の空気調和機。
【請求項３】
前記上方フラップは、前記リンクを介して鉛直下向き位置に回動されたとき、空気調和機の前面パネルと面一とされ、前記吹出し口を閉鎖可能とされていることを特徴とする請求項２に記載の空気調和機。
【請求項４】
前記ガイド経路は、上下方向に沿う滑らかな湾曲状のガイド経路とされていることを特徴とする請求項１ないし３のいずれかに記載の空気調和機。
【請求項５】
前記ガイド経路は、前記フラップが最大上吹出し位置とされたとき、前記第２支軸が下端エンド位置とされ、前記フラップが前記吹出し口を閉鎖する位置とされたとき、前記第２支軸が上端エンド位置とされるガイド経路とされていることを特徴とする請求項１ないし４のいずれかに記載の空気調和機。
【請求項６】
前記ガイド経路と同じ構成の撓み防止用ガイド経路が、前記第２支軸に相当する支軸を支持すべく前記フラップの長さ方向の中間位置に１箇所以上設けられていることを特徴とする請求項１ないし５のいずれかに記載の空気調和機。
【発明の詳細な説明】
【技術分野】
【０００１】
本発明は、温調風の吹出し口に、風向を調整するフラップが設けられている空気調和機に関するものである。
【背景技術】
【０００２】
空気調和機の吹出し口には、一般に温調風の風向を左右方向に調整するルーバと、上下方向に調整するフラップとが設けられている。これらのルーバおよびフラップは、吹出し口の風路内において、上流側にルーバ、下流側にフラップが設けられ、各々の回転軸は吹出し口の風路内の一点に固定されており、空気調和機の運転停止時、フラップにより吹出し口が閉鎖可能に構成されている。かかる構成で吹出し口がフラップの幅で水平方向に延びているものの場合、下吹出しもしくは上吹出しの際に、風路内でフラップ位置を最適位置とすることが難しく、上吹出しを最適にすると、下吹出し時にフラップが風路を狭めてしまい、風向が最適に定まらない、あるいは風量が低下する等の課題があった。
【０００３】
そこで、フラップの回転軸を移動可能としたものが、特許文献１ないし３に提供されている。特許文献１には、側板に回転自在に設置した第１リンクの他端に第２リンクを回転自在に設け、その第２リンクの先端にフラップを回転自在に支持することにより、フラップの回転軸を多接のリンク機構を介して吹出し口の風路外に移動可能としたものが記載されている。また、特許文献２には、モータによりモータギアおよびドライブギアを経由してカムギアを駆動し、そのカムギアに設けられたカム溝により可動される２組のリンク機構を介してフラップの前後２点を回転自在に支持することにより、フラップの回転軸を吹出し口の風路外に移動可能としたものが記載されている。
【０００４】
さらに、特許文献３には、上下２枚のフラップの第１フラップ上に、他の第２フラップの回動中心をなす第２回動軸がギアボックスを介して回動自在に支持され、その第２フラップが、第１フラップの回動中心をなす第１回動軸を中心に第１フラップと共に回動可能であり、かつ第２回動軸を中心に独立して回動可能とされることにより、第２フラップの第２回動軸を吹出し口の風路外に移動可能としたものが記載されている。
【先行技術文献】
【特許文献】
【０００５】
【特許文献１】特開昭６３−２５４３４３号公報
【特許文献２】特開平９−２１０４４２号公報
【特許文献３】特開２００９−１９８３１号公報
【発明の概要】
【発明が解決しようとする課題】
【０００６】
しかしながら、特許文献１に示されたものは、フラップの回転軸および第２リンクを回動するための具体的手段を開示するものではなく、手動でフラップおよび第１，第２リンクを動かすようにしたものであり、リモコン等により手元でフラップを動作させ、風向を調整できるようにしたものではない。
【０００７】
また、特許文献２，３に示すものは、モータの駆動によりフラップの回転軸を吹出し口の風路外に移動可能し、フラップをその回転軸周りに回動可能としたものであるが、複数のリンクからなるリンク機構や複数の歯車からなる歯車列を必要とし、フラップを最適な上吹出し位置や下吹出し位置に移動させるには、複雑な移動機構が必要であり、部品数が多く、構成が複雑化してコストアップとなるだけでなく、歯車列を用いたものでは、フラップ両側の歯車列をタイミング合わせして組み立てる必要があり、組み立て工数が増加する等の課題があった。
【０００８】
本発明は、このような事情に鑑みてなされたものであって、部品数や組み立て工数が増加する歯車列を用いることなく、フラップの回転軸を吹出し口の風路外に移動させ、上吹出し時および下吹出し時共に、フラップの回動角度を最適位置に調整することにより風向の制御性を高めることができる空気調和機を提供することを目的とする。
【課題を解決するための手段】
【０００９】
上記した課題を解決するために、本発明の空気調和機は、以下の手段を採用する。
すなわち、本発明にかかる空気調和機は、温調風の吹出し口に、風向を調整するフラップが設けられている空気調和機において、前記フラップは、その長さ方向の両端部位において、幅方向の前端側が、モータにより駆動される回転軸に一端が結合されているリンクの他端側に第１支軸を介して回動自在に支持され、該フラップの幅方向の後端側が、前記吹出し口の上下方向に沿って設けられているガイド経路に第２支軸を介して摺動自在に支持されていることを特徴とする。
【００１０】
本発明によれば、吹出し口に設けられる風向調整用のフラップが、その長さ方向の両端部位において、幅方向の前端側が、モータにより駆動される回転軸に一端が結合されているリンクの他端側に第１支軸を介して回動自在に支持され、そのフラップの幅方向の後端側が、吹出し口の上下方向に沿って設けられているガイド経路に第２支軸を介して摺動自在に支持されているため、温調風の吹出し方向を調整する際、モータにより回転軸を回転駆動し、その回転軸に一端部が結合されているリンクを吹出し口の風路外に回動することにより、リンクの他端側にフラップの幅方向の前端側を回動自在に支持している第１支軸を吹出し口の風路外方に飛び出させ、その位置でフラップを第１支軸とガイド経路に沿って摺動される第２支軸とで支持し、モータで回動されるリンクの回動範囲に応じてフラップを上吹出し位置と下吹出し位置との間でその回動角度を規制することにより、温調風の吹出し方向を任意の方向に調整することができる。従って、上吹出し時および下吹出し時共に、フラップの回動軸を吹出し口の風路外に飛び出させ、その位置でフラップの回動角度を最適位置に調整することができ、風路を狭めることによる風量の低下や温調風の吹抜け等を防止し、風向の制御性を向上することができる。
【００１１】
さらに、本発明は、上記の空気調和機において、前記フラップは、広幅の上方フラップと狭幅の下方フラップとの２枚のフラップが所定間隔で互いに平行に結合されて一体化されたフラップとされ、前記上方フラップの前端側が、前記第１支軸を介して前記リンクの他端側に回動自在に支持されるとともに、前記下方フラップの後端側が、前記第２支軸を介して前記ガイド経路に摺動自在に支持されていることを特徴とする。
【００１２】
本発明によれば、フラップが、広幅の上方フラップと狭幅の下方フラップとの２枚のフラップが所定間隔で互いに平行に結合されて一体化されたフラップとされ、上方フラップの前端側が、第１支軸を介してリンクの他端側に回動自在に支持されるとともに、下方フラップの後端側が、第２支軸を介してガイド経路に摺動自在に支持されているため、上下２枚の上方フラップおよび下方フラップを平行状態のまま、第１支軸および第２支軸を介してリンクおよびガイド経路により支持し、リンクの回動角に応じて上吹出し位置と下吹出し位置との間で回動することによって、上下２枚のフラップで温調風の風向を調整することができる。従って、温調風を確実に目標とする方向に向けて吹出すことができ、風向の調整精度をより向上することができる。
【００１３】
さらに、本発明は、上記の空気調和機において、前記上方フラップは、前記リンクを介して鉛直下向き位置に回動されたとき、空気調和機の前面パネルと面一とされ、前記吹出し口を閉鎖可能とされていることを特徴とする。
【００１４】
本発明によれば、上方フラップが、リンクを介して鉛直下向き位置に回動されたとき、空気調和機の前面パネルと面一とされ、吹出し口を閉鎖可能とされているため、空気調和機の運転を停止したとき、モータにより回転軸を介してリンクおよびフラップを吹出し口の風路内に回動し、上方フラップを鉛直下向き位置に回動させることにより、吹出し口を閉鎖することができる。従って、空気調和機が運転を停止時、吹出し口をフラップによって閉鎖することができ、デザイン性を向上することができるとともに、吹出し口内への塵埃等の侵入を阻止することができる。
【００１５】
さらに、本発明は、上述のいずれかの空気調和機において、前記ガイド経路は、上下方向に沿う滑らかな湾曲状のガイド経路とされていることを特徴とする。
【００１６】
本発明によれば、ガイド経路が、上下方向に沿う滑らかな湾曲状のガイド経路とされているため、風向調整時、リンクの他端にフラップの幅方向前端側を回動自在に支持している第１支軸が、リンクを半径とする円軌跡上を移動し、この移動に伴ってフラップの幅方向の後端側を摺動自在に支持している第２支軸が、上下方向に沿う滑らかな湾曲状のガイド経路上を摺動することにより、フラップを両支軸で所要の角度に規制して円滑に回動させることができる。従って、フラップを回動自在に支持する支軸を移動可能としたものでありながら、複雑なリンクや歯車列、カム等を必要としない、可動が円滑でかつ構成が簡素な風向調整装置とすることができる。
【００１７】
さらに、本発明は、上述のいずれかの空気調和機において、前記ガイド経路は、前記フラップが最大上吹出し位置とされたとき、前記第２支軸が下端エンド位置とされ、前記フラップが前記吹出し口を閉鎖する位置とされたとき、前記第２支軸が上端エンド位置とされるガイド経路とされていることを特徴とする。
【００１８】
本発明によれば、ガイド経路が、フラップが最大上吹出し位置とされたとき、第２支軸が下端エンド位置とされ、フラップが吹出し口を閉鎖する位置とされたとき、第２支軸が上端エンド位置とされるガイド経路とされているため、モータにより回転軸を介してリンクが回動され、フラップが最大上吹出し位置と吹出し口を閉鎖する位置との間で回動される際、第２支軸がガイド経路に沿ってその下端エンド位置と上端エンド位置との間を摺動することにより、フラップを第１支軸と第２支軸とで所要の角度に規制して回動させることができる。従って、フラップの角度を常に最適角度に規制し、風量の低下や温調風の吹抜けを防ぎ、目標方向に風向を調整することができる。
【００１９】
さらに、本発明は、上述のいずれかの空気調和機において、前記ガイド経路と同じ構成の撓み防止用ガイド経路が、前記第２支軸に相当する支軸を支持すべく前記フラップの長さ方向の中間位置に１箇所以上設けられていることを特徴とする。
【００２０】
本発明によれば、ガイド経路と同じ構成の撓み防止用ガイド経路が、第２支軸に相当する支軸を支持すべくフラップの長さ方向の中間位置に１箇所以上設けられているため、吹出し口の幅方向寸法が大きく、フラップの長さが長くなった場合でも、それに応じて撓み防止用ガイド経路をフラップの長さ方向の中間位置に１箇所以上設け、フラップの中間位置を支持することにより、フラップの撓みを防止することができる。従って、フラップの撓みによりその回動が阻害されることがなく、フラップを円滑に回動させ、風向を調整することができる。
【発明の効果】
【００２１】
本発明によると、温調風の風向を調整する際、モータにより回転軸を回転駆動し、その回転軸に一端部が結合されているリンクを吹出し口の風路外に回動することにより、リンクの他端側にフラップの幅方向の前端側を回動自在に支持している第１支軸を吹出し口の風路外方に飛び出させ、その位置でフラップを第１支軸とガイド経路に沿って摺動される第２支軸とで支持し、モータで回動されるリンクの回動範囲に応じてフラップを上吹出し位置と下吹出し位置との間でその回動角度を規制することにより、温調風の吹出し方向を任意の方向に調整することができるため、上吹出し時および下吹出し時共に、フラップの回動軸を吹出し口の風路外に飛び出させ、その位置でフラップの回動角度を最適位置に調整することができ、風路を狭めることによる風量の低下や温調風の吹抜け等を防止し、風向の制御性を向上することができる。
【図面の簡単な説明】
【００２２】
【図１】本発明の一実施形態に係る空気調和機の縦断面図である。
【図２】図１に示す空気調和機を斜め前方から見た状態の斜視図である。
【図３】図１に示す空気調和機のルーバの最大風量吹出し位置時の拡大図である。
【図４】図１に示す空気調和機のルーバの上吹出し位置時の拡大図である。
【図５】図１に示す空気調和機のルーバの下吹出し位置時の拡大図である。
【図６】図１に示す空気調和機のルーバの吹出し口閉鎖位置時の拡大図である。
【発明を実施するための形態】
【００２３】
以下に、本発明の一実施形態について、図１ないし図６を参照して説明する。
図１には、本発明の一実施形態に係る空気調和機の縦断面図が示され、図２には、その斜視図、図３ないし図６には、そのルーバの各吹出し位置時の拡大図が示されている。
空気調和機１は、矩形状の縦、横寸法に対して、奥行き寸法が薄くされた立体形の筐体であるユニット本体２を備えている。このユニット本体２の内部は、仕切り壁３により上部側と下部側に区画されており、上部側が室内側ユニット４、下部側が室外側ユニット５とされている。
【００２４】
室内側ユニット４を構成するユニット本体２の上面には、室内空気を吸い込む吸込みグリル６を備えた空気吸込み口７が略全面に亘って設けられており、また、正面の中央部よりやや上部側には、水平方向の略全長に亘って空気吹出し口（吹出し口）８が設けられている。室内側ユニット４の内部には、空気吸込み口７から吸込んだ室内空気を空気吹出し口８に導く風路９が形成されており、該風路９には、上流側からプレフィルタ１０、空気浄化フィルタ１１、室内熱交換器１２および室内ファン（クロスフローファン）１３が順次配設されている。
【００２５】
室内熱交換器１２は、複数に分割され、断面が略Λ形状をなすように折り曲げて配置されており、その内側空間に臨むように室内ファン（クロスフローファン）１３が配置された構成とされている。略Λ形状をなす室内熱交換器１２の下端部には、それぞれドレンパン１４，１５が配設されている。また、空気吹出し口８には、吹出し風の方向を左右方向に調整する複数枚のルーバ１６と、上下方向に調整する上下２枚のフラップ１７とが吹出し方向に前後し、上流側にルーバ１６、下流側にフラップ１７が配置された状態でそれぞれ回動自在に配置されている。
【００２６】
フラップ１７は、一般に左右両端の支軸が空気吹出し口８の風路９内に回転自在に設けられたものが多いが、本実施形態では、以下の通り、フラップ１７の支軸がリンクを介して空気吹出し口８の風路９外方に移動可能とされている。つまり、本実施形態では、図３ないし図６に示されるように、空気吹出し口８の風路９の左右両端部位に、図示省略のステッピングモータ（以下、単にモータという。）で回転駆動される回転軸２０が設けられており、その回転軸２０に左右一対のリンク２１の一端が結合され、該リンク２１の他端側にフラップ１７の左右両端に設けられた第１支軸２２が回動自在に支持された構成とされている。
【００２７】
フラップ１７は、水平方向に設けられている空気吹出し口８の長さ方向に沿った広幅の上方フラップ１７Ａとやや狭幅の下方フラップ１７Ｂとの上下２枚のフラップが、連結片１７Ｃにより所定の間隔で互いに平行に結合され、一体化された構成とされている。この上方フラップ１７Ａの幅方向の前端側が、第１支軸２２を介して左右一対のリンク２１の他端側に回動自在に支持されることにより、リンク２１の回動に伴って第１支軸２２およびフラップ１７の幅方向の前端側が、空気吹出し口８の風路９の外方に移動され、その外方位置で回動自在とされている。
【００２８】
一方、上記フラップ１７の下方フラップ１７Ｂの左右両端の幅方向の後端側に第２支軸２３が設けられ、この第２支軸２３が、空気吹出し口８の上下方向に沿って空気吹出し口８の風路９の左右両端部位に設けられているガイド経路２４により摺動自在に支持されている。ガイド経路２４は、上下方向に沿う滑らかな湾曲状ガイド経路２４Ａを備え、フラップ１７の第２支軸２３を湾曲状ガイド経路２４Ａの下端エンド位置と上端エンド位置との間において摺動自在に支持ものである。
【００２９】
このように、フラップ１７は、上方フラップ１７Ａの幅方向の前端側が、第１支軸２２を介してリンク２１の他端側に回動自在に支持されるとともに、下方フラップ１７Ｂの幅方向の後端側が、第２支軸２３を介してガイド経路２４の滑らかな湾曲状ガイド経路２４Ａに沿って摺動自在に支持されており、第１支軸２２が回転軸２０を中心に回動するリンク２１を半径とする円軌跡上を移動することによって、空気吹出し口８の風路９の外方で回動され、その回動角度がガイド経路２４の滑らかな湾曲状ガイド経路２４Ａに沿って摺動する第２支軸２３によって規制されるように構成されている。
【００３０】
フラップ１７の回動範囲は、第２支軸２３が湾曲状ガイド経路２４Ａの下端エンド位置とされたとき、図４に示すように、フラップ１７が最大上吹出し位置とされ、その位置からリンク２１が下向きに回動される間に、図３に示す最大風量吹出し位置、図５に示す下吹出し位置とされ、更に第２支軸２３が湾曲状ガイド経路２４Ａの上端エンド位置とされたとき、図６に示すように、フラップ１７により空気吹出し口８を閉鎖する位置とされる範囲で回動可能とされている。
【００３１】
そして、フラップ１７は、第２支軸２３が湾曲状ガイド経路２４Ａの上端エンド位置とされ、上方フラップ１７Ａが、図６に示されるように、モータで回動されるリンク２１によって空気吹出し口２を閉鎖する鉛直下向き位置に回動されたとき、ユニット本体２の前面パネル２Ａと略面一とされ、空気吹出し口２を閉鎖状態とする構成とされている。
【００３２】
また、フラップ１７は、吹出し口８の幅方向寸法に相当する長さとされるため、左右の両端部位だけを支持した場合、中間部分で撓みが発生し、フラップ１７の円滑な回動を阻害する虞がある。そこで、ガイド経路２４と同一構成の撓み防止用ガイド経路２５（図２参照）をフラップ１７の長さ方向の中間位置に１箇所以上設け、フラップ１７側に設けられている第２支軸２３に相当する支軸（図示省略）を撓み防止用ガイド経路２５で支持する構成としている。なお、この撓み防止用ガイド経路２５は、フラップ１７の長さに応じて２箇所以上の中間位置に設けてもよいことはもちろんである。
【００３３】
以上に説明の構成により、本実施形態によれば、以下の作用効果を奏する。
上記空気調和機１が運転されると、室内ファン１３が回転されることにより、室内の空気が空気吸込み口７からグリル６、フィルタ１０，１１を介して吸込まれ、室内熱交換器１２で冷媒と熱交換されて温調された後、風路９を経て空気吹出し口８から、ルーバ１６およびフラップ１７により調整された方向に向けて室内へと吹出され、室内の温調に供される。
【００３４】
この際、室内に吹出される温調風の風向は、左右方向に対しては空気吹出し口８の長手方向に多数並設されているルーバ１６の角度を、図示省略のステッピングモータ等を介して任意の方向に回動することにより調整することができ、上下方向に対しては、空気吹出し口８の長手方向に沿って設けられている上下２枚のフラップ１７Ａ，１７Ｂからなるフラップ１７を、図示省略のモータにより回転軸２０を回転し、リンク２１を回転軸２０周りに回動して、図４に示される最大上吹出し位置から図６に示される空気吹出し口８を閉鎖する位置の間で、任意の位置に回動することによって調整することができる。
【００３５】
フラップ１７は、上記の風向調整時、その回動支軸である第１支軸２２が、リンク２１の回動により空気吹出し口８の風路９から外方に飛び出した位置に移動され、その移動位置で回動されることになる。つまり、モータにより回転軸２０が回転され、リンク２１が略水平状態に近い上方位置に回動されたとき、図４に示されるように、第２支軸２３が湾曲状ガイド経路２４Ａの下端エンド位置とされ、フラップ１７は、最大上吹出し位置に回動されることにより、空気吹出し口８から室内に向って吹出される温調風の風向を上向きに変更して吹出すよう作用する。
【００３６】
この最大上吹出し位置からリンク２１を少し下向きに回動させた位置が、図３に図示されている。この位置は、フラップ１７が略水平状態とされた位置であり、室内ファン１３から吹出された温調風がフラップ１７により風向変更されることなく、風路９に沿ってそのまま室内側に向って吹出されるため、最大風量吹出し位置となる。この位置で第２支軸２３は、湾曲状ガイド経路２４Ａ内を下端エンド位置から上方側へと摺動し、フラップ１７の角度を上記の略水平状態位置に規制する。なお、フラップ１７は、この最大風量吹出し位置と上記の最大上吹出し位置との間で任意の方向に風向を調整できることはもちろんである。
【００３７】
図３に示す最大風量吹出し位置からリンク２１が更に下向きに回動されると、フラップ１７は、図５に示される下吹出し位置とされる。この位置で第２支軸２３は、湾曲状ガイド経路２４Ａの下端エンド位置と上端エンド位置との間の略中間位置とされ、フラップ１７の角度を下向き位置に規制し、温調風の風向を下向きに変更して室内に吹出すよう作用する。このフラップ１７の下向きの角度は、リンク２１を図５に示す位置から、上方または下方に適宜回動することによって、任意の角度に調整することができる。
【００３８】
このように、上吹出し時および下吹出し時共に、フラップ１７の回動支軸である第１支軸２２を吹出し口８の風路９外に飛び出させ、その位置でフラップ１７の回動角度を最適位置に調整することにより、風向を任意の方向に変更することができる。従って、風路９を狭めることによる風量の低下や温調風の吹抜け等を防止し、風向の制御性を向上することができる。
【００３９】
また、フラップ１７は、図６に示されるように、モータによりリンク２１を鉛直下向き位置に回動させ、第２支軸２３を湾曲状ガイド経路２４Ａの上端エンド位置とすることにより、空気吹出し口８の風路９内に収容された状態とされ、上方フラップ１７Ａがユニット本体２の前面パネル２Ａと略面一とされるようになっている。この位置は、空気吹出し口８をフラップ１７により閉鎖状態とする位置であり、これによって、空気調和機１が運転を停止した時、空気吹出し口２をフラップ１７により閉鎖することができ、吹出し口８内への塵埃等の侵入を阻止することができる。
【００４０】
斯くして、本実施形態によると、空気吹出し口８に設けられる風向調整用のフラップ１７は、その長さ方向の両端部位において、幅方向の前端側が、モータにより駆動される回転軸２０に一端が結合されているリンク２１の他端側に第１支軸２２を介して回動自在に支持され、そのフラップ１７の幅方向の後端側が、吹出し口８の上下方向に沿って設けられているガイド経路２４に第２支軸２３を介して摺動自在に支持されている。
【００４１】
このため、温調風の吹出し方向を調整する際、モータにより回転軸２０を回転し、その回転軸２０に一端部が結合されているリンク２１を吹出し口８の風路９の外方に回動することにより、リンク２１の他端側にフラップ１７の幅方向の前端側を回動自在に支持している第１支軸２２を吹出し口８の風路９外に飛び出させ、その位置でフラップ１７を第１支軸２２とガイド経路２４に沿って摺動される第２支軸２３とで支持し、モータで回動されるリンク２１の回動範囲に応じてフラップ１７を上吹出し位置と下吹出し位置との間でその回動角度を規制することにより、温調風の吹出し方向を任意の方向に調整することができる。
【００４２】
これによって、上吹出し時および下吹出し時共に、フラップ１７の回動支軸である第１支軸２２を吹出し口８の風路９外に飛び出させ、その位置でフラップ１７の回動角度を最適位置に調整することができ、風路９を狭めることによる風量の低下や温調風の吹抜け等を防止し、風向の制御性を向上することができる。
【００４３】
また、フラップ１７は、広幅の上方フラップ１７Ａと狭幅の下方フラップ１７Ｂの上下２枚のフラップが所定間隔で互いに平行に結合されて一体化されたフラップとされ、上方フラップ１７Ａの前端側が、第１支軸２２を介してリンク２１の他端側に回動自在に支持されるとともに、下方フラップ１７Ｂの後端側が、第２支軸２３を介してガイド経路２４に摺動自在に支持されている。
【００４４】
このため、２枚の上方フラップ１７Ａと下方フラップ１７Ｂを平行状態のまま、第１支軸２２および第２支軸２３を介してリンク２１およびガイド経路２４により支持し、リンク２１の回動角に応じて上吹出し位置と下吹出し位置との間で回動することにより、上下２枚のフラップ１７Ａ，１７Ｂで温調風の風向を調整することができる。従って、温調風を確実に目標とする方向に向けて吹出すことができ、風向の調整精度をより向上することができる。
【００４５】
また、上方フラップ１７Ａは、リンク２１を介して鉛直下向き位置に回動されたとき、前面パネル２Ａと面一とされ、空気吹出し口８を閉鎖可能とされている。このため、空気調和機１の運転を停止したとき、モータにより回転軸２０を介してリンク２１およびフラップ１７を空気吹出し口８の風路９内に回動し、上方フラップ１７Ａを鉛直下向き位置に回動させることにより、空気吹出し口８を閉鎖することができる。従って、空気調和機１が運転を停止時、空気吹出し口８をフラップ１７によって閉鎖することができ、デザイン性を向上することができるとともに、空気吹出し口８内への塵埃等の侵入を阻止することができる。
【００４６】
さらに、第２支軸２３を支持するガイド経路２４は、上下方向に沿う滑らかな湾曲状のガイド経路２４Ａとされている。このため、風向調整時、リンク２１の他端にフラップ１７の幅方向前端側を回動自在に支持している第１支軸２２が、リンク２１を半径とする円軌跡上を移動し、この移動に伴ってフラップ１７の幅方向の後端側を摺動自在に支持している第２支軸２３が、上下方向に沿う滑らかな湾曲状のガイド経路２４Ａ上を摺動することにより、フラップ１７を両支軸２２，２３で所要の角度に規制して円滑に回動させることができる。従って、フラップ１７を回動自在に支持する支軸２２，２３を移動可能としたものでありながら、複雑なリンクや歯車列、カム等を必要としない、可動が円滑でかつ構成が簡素な風向調整装置とすることができる。
【００４７】
また、ガイド経路２４は、フラップ１７が最大上吹出し位置とされたとき、第２支軸２３が下端エンド位置とされ、フラップ１７が吹出し口８を閉鎖する位置とされたとき、第２支軸２３が上端エンド位置とされる構成とされており、モータにより回転軸２０を介してリンク２１が回動され、フラップ１７が最大上吹出し位置と吹出し口８を閉鎖する位置との間で回動される際、第２支軸２３がガイド経路２４に沿ってその下端エンド位置と上端エンド位置との間を摺動することにより、フラップ１７を第１支軸２２と第２支軸２３とで所要の角度に規制して回動させることができる。従って、フラップ１７の角度を常に最適角度に規制し、風量の低下や温調風の吹抜けを防ぎ、目標方向に風向を調整することができる。
【００４８】
さらに、本実施形態においては、ガイド経路２４と同じ構成の撓み防止用ガイド経路２５が、第２支軸２３に相当する支軸（図示省略）を支持すべくフラップ１７の長さ方向の中間位置に１箇所以上設けられている。このため、吹出し口８の幅方向寸法が大きく、フラップ１７の長さが長くなった場合でも、それに応じて撓み防止用ガイド経路２５をフラップ１７の長さ方向の中間位置に１箇所以上設け、フラップ１７の中間位置を支持することにより、フラップ１７の撓みを防止することができる。従って、フラップ１７の撓みによりその回動が阻害されることがなく、フラップ１７を円滑に回動させ、風向を調整することができる。
【００４９】
なお、本発明は、上記実施形態にかかる発明に限定されるものではなく、その要旨を逸脱しない範囲において、適宜変形が可能である。例えば、上記実施形態では、一体の床置き型空気調和機１に適用した例ついて説明したが、本発明は、必ずしもこのような構成の空気調和機に限定されるものではなく、分離型の空気調和機あるいは壁掛け型、天井設置型等に空気調和機にも同様に適用できることはもちろんである。
【符号の説明】
【００５０】
１  空気調和機
２Ａ  前面パネル
８  空気吹出し口（吹出し口）
９  風路
１７  フラップ
１７Ａ  上方フラップ
１７Ｂ  下方フラップ
２０  回転軸
２１  リンク
２２  第１支軸
２３  第２支軸
２４  ガイド経路
２４Ａ  湾曲状ガイド経路
２５  撓み防止用ガイド経路
【図１】
2015031452.tif 000003
【図２】
2015031452.tif 000004
【図３】
2015031452.tif 000005
【図４】
2015031452.tif 000006
【図５】
2015031452.tif 000007
【図６】
2015031452.tif 000008